(57)【要約】【課題】良好な再生信号が得られ、ユーザーの記録領域を最大限に確保して、フォーマット効率のよい磁壁移動型光磁気記録媒体の記録再生装置を提供する。【解決手段】プリフォーマット領域で得られた検出信号を基準として所定のタイミングでデータ領域に記録を開始する記録回路と、前記検出信号を基準として前記所定のタイミングより早いタイミングで前記データ領域に記録された情報の再生を開始する再生回路とを有する。【選択図】　　　図１
2004055033.tif 000002
【特許請求の範囲】
【請求項１】
プリフォーマット領域に続くデータ領域に対し光ビームを照射し、情報の記録及び再生を行う磁壁移動型光磁気記録媒体の記録再生装置において、
前記プリフォーマット領域で得られた検出信号を基準として所定のタイミングで前記データ領域に記録を開始する記録回路と、
前記検出信号を基準として前記所定のタイミングより早いタイミングで前記データ領域に記録された情報の再生を開始する再生回路とを有することを特徴とする記録再生装置。
【請求項２】
前記所定のタイミングは、前記プリフォーマット領域に形成されたピットを基準に計られることを特徴とする請求項１に記載の記録再生装置。
【請求項３】
前記プリフォーマット領域には、クロックピットが形成され、前記タイミングは前記プリフォーマット領域で得られた検出信号を基準に前記クロックピットをもとに生成されたクロックにより計られることを特徴とする請求項１に記載の記録再生装置。
【請求項４】
前記検出信号は、前記クロックピットの検出信号であることを特徴とする請求項３に記載の記録再生装置。
【請求項５】
前記プリフォーマット領域には、セクターマーク（ＳＭ）、アドレスを検出する際のクロック抽出を行うための一定パターン（ＶＦＯ部）、アドレスマーク（ＡＭ）、アドレスピットが形成され、前記データ領域には情報の再生する際のクロック抽出を行うための一定パターン（ＶＦＯ部）とバイト同期を取るためのＳＹＮＣマークが形成され、前記タイミングは固定周波数のクロックまたは前記プリフォーマット領域で得られた検出信号を基準に前記データ領域のＶＦＯパターンをもとに生成されたクロックにより計られることを特徴とする請求項１に記載の記録再生装置。
【請求項６】
前記検出信号は、前記アドレスマークの検出信号であることを特徴とする請求項５に記載の記録再生装置。
【請求項７】
前記プリフォーマット領域には、トラッキング用の１対のウォブルピットとクロックピット、アドレスピットが形成され、前記データ領域には情報の再生する際のクロック抽出を行うための一定パターン（ＶＦＯ部）とバイト同期を取るためのＳＹＮＣマークが形成され、前記記録のタイミングは前記プリフォーマット領域で得られた検出信号を基準に前記クロックピットにより生成されたクロックにより計られ、前記再生のタイミングは前記プリフォーマット領域で得られた検出信号を基準に、前記プリフォーマット領域で得られた検出信号をもとに生成されたクロックまたは前記データ領域のＶＦＯパターンをもとに生成されたクロックにより計られることを特徴とする請求項１に記載の記録再生装置。
【請求項８】
前記検出信号は、前記クロックピットの検出信号であることを特徴とする請求項７に記載の記録再生装置。
【請求項９】
前記媒体は基板を有し、前記データ領域は前記基板に形成された溝部に設けられ、前記プリフォーマット部は前記基板の平坦部に設けられ、前記検出信号は前記溝部と平坦部の境界部で得られる信号であることを特徴とする請求項７に記載の記録再生装置。
【請求項１０】
前記記録と再生のタイミング差は、記録時に記録マークの磁壁が形成される位置と光ビームの中心との距離と再生時に前記磁壁の移動が開始される位置と光ビームの中心との距離とを足し合わせた距離を前記媒体の線速度で除算した時間に相当することを特徴とする請求項１に記載の記録再生装置。
【請求項１１】
前記再生回路は、前記ＳＹＮＣマークを検出し、ＳＹＮＣ一致信号を出力するＳＹＮＣマーク検出回路と、前記ＳＹＮＣ一致信号を抽出するための検出窓信号生成回路とを含み、前記再生回路は前記検出窓信号中に前記ＳＹＮＣ一致信号を検出したとき、その検出タイミングに同期して続く情報の復調を開始することを特徴とする請求項５及び７に記載の記録再生装置。
【請求項１２】
前記検出窓生成回路は、前記ＳＹＮＣマークの最後端の記録タイミングより早いタイミングを中心として前記検出窓信号を生成することを特徴とする請求項１１に記載の記録再生装置。
【発明の詳細な説明】
【０００１】
【発明の属する技術分野】
本発明は、デジタル情報を光学式記録担体に記録再生する光磁気記録再生装置に関し、特に、磁壁移動を利用して記録磁区を拡大して再生する記録再生装置に関するものである。
【０００２】
【従来の技術】
従来より、デジタル情報を、カードやディスク状の媒体に保存する形態の記録媒体がさまざま存在しているが、その中で、記録時にはレーザーにて媒体の温度を上昇させると同時に磁場を発生させて信号を書き込み、再生時には出射されたレーザー光の媒体からの戻り光の偏光方向で情報を再生するという、光磁気ディスクとその記録再生装置が実用化されている。
【０００３】
さて、近年これらの記録再生装置においては、さらなる高密度化の要求が高くなっており、その高密度化の要求に応えるために、新しい再生方式が提案されている。そのなかでも、磁壁移動型再生方式（Ｄｏｍａｉｎ　Ｗａｌｌ　Ｄｉｓｐｌａｃｅｍｅｎｔ　Ｄｅｔｅｃｔｉｏｎ）が特開平０６−２９０４９６において提案されている。この再生方式について図１１を用いて説明する。
【０００４】
図１１は、磁壁移動型光磁気記録媒体およびその再生方法における作用を説明するため模式図である。
【０００５】
図１１（Ａ）は、磁壁移動型光磁気記録媒体の一構成例の模式的断面図である。この媒体の磁性層は、第１の磁性層１１、第２の磁性層１２、第３の磁性層１３が順次積層されてなる。各層中の矢印１４は原子スピンの向きを表している。スピンの向きが相互に逆向きの領域の境界部には磁壁１５が形成されている。また、この記録層の記録信号も下側にグラフとして表わす。第１の磁性層１１は、周囲温度近傍の温度において第３の磁性層１３に比べて相対的に磁壁抗磁力が小さく磁壁移動度が大きな垂直磁化膜からなり、第２の磁性層１２は、第１の磁性層１１および第３の磁性層１３よりもキュリー温度の低い磁性層からなり、第３の磁性層１３は垂直磁化膜である。
【０００６】
図１１（Ｂ）は、上記光磁気記録媒体に形成される温度分布を示すグラフである。この温度分布は、再生用に照射されている光ビーム自身によって媒体上に誘起されるものでもよいが、望ましくは別の加熱手段を併用して、再生用の光ビームのスポットの手前側から温度を上昇させ、スポットの後方に温度のピークが来るような温度分布を形成する。ここで位置ｘｓにおいては、媒体温度が第２の磁性層１２のキュリー温度近傍の温度Ｔｓになっている。
【０００７】
図１１（Ｃ）は、図１１（Ｂ）の温度分布に対応する第１の磁性層１１の磁壁エネルギー密度σ１の分布を示すグラフである。この様にｘ方向に磁壁エネルギー密度σ１の勾配があると、位置ｘに存在する各層の磁壁に対して下記式から求められる力Ｆ１が作用する。
【０００８】
Ｆ１＝∂σ１／∂ｘ
この力Ｆ１は、磁壁エネルギーの低い方に磁壁を移動させるように作用する。第１の磁性層１１は、磁壁抗磁力が小さく磁壁移動度が大きいので、単独では、この力Ｆ１によって容易に磁壁が移動する。しかし、位置ｘｓより手前（図では右側）の領域では、まだ媒体温度がＴｓより低く、磁壁抗磁力の大きな第３の磁性層１３と交換結合しているために、第３の磁性層１３中の磁壁の位置に対応した位置に第１の磁性層１１中の磁壁も固定されている。
【０００９】
図１１（Ａ）に示す様に、磁壁１５が媒体の位置ｘｓにあると、媒体温度が第２の磁性層のキュリー温度近傍の温度Ｔｓまで上昇し、第１の磁性層と第３の磁性層との間の交換結合が切断される。この結果、第１の磁性層中の磁壁１５は、破線矢印１７で示した様に、より温度が高く磁壁エネルギー密度の小さな領域へと”瞬間的”に移動する。
【００１０】
再生用の光ビームのスポット１６の下、即ち、スポット１６の進行方向前縁近傍に形成された温度Ｔｓの等温線を磁壁１５が通過すると、スポット内の第１の磁性層の原子スピンは全て一方向に揃う。そして、媒体の移動に伴って磁壁１５が位置ｘｓに来る度に、スポットの下を磁壁１５が瞬間的に移動しスポット内の原子スピンの向きが反転して全て一方向に揃う。この結果、図１１（Ａ）に示す様に、再生信号振幅は記録されている磁壁の間隔（即ち記録マーク長）によらず、常に一定かつ最大の振幅になり、光学的な回折限界に起因した波形干渉等の問題から完全に解放されることになる。このため、光の回折限界によらずに高密度に記録された信号の再生が可能となっている。
【００１１】
また、記録時については、光ビームで媒体温度をキュリー点まで上昇させ、冷却時の外部印加磁界により、デジタル信号を媒体上に記録している。具体的には、記録はスポット１６の進行方向後縁近傍に形成される第３の磁性層のキュリー温度Ｔｃの等温線のところで記録マークのエッジ（磁壁）が形成されることにより行われる。
【００１２】
【発明が解決しようとする課題】
しかしながら、このような記録再生原理を利用した装置においては次のような問題があった。
【００１３】
即ち、記録時には、光スポットの進行方向に対して後縁近傍の第３の磁性層のキュリー温度Ｔｃの等温線のところで記録マークのエッジが形成されるので、光スポットの中心位置からみて、後方にずれた場所で記録動作が行わる。図１０の（ａ）および（ｂ）に記録時の記録信号と記録マーク形成位置との関係を示す。図１０で、光ビーム中心が位置（Ｐ）に到達したときに記録信号の供給を開始した場合、記録マークは位置（Ｐ）より進行方向後方の位置Ｘ１で形成が開始される。
【００１４】
ここで、記録開始タイミングと再生開始タイミングを同じタイミングにした場合、再生時において磁壁の移動は光スポットの進行方向前縁部から起こるため、図１０（ｂ）の点線で示される位置Ｘ２から記録マークの再生が開始される。この場合、位置Ｘ１と位置Ｘ２の間に形成された記録マークは再生が行われず再生信号の欠落が生じてしまう。このことは、再生信号品位を著しく悪化させてしまうか、或いは再生不能の事態を生じてしまう。
【００１５】
この問題を解決するために、従来では記録動作開始タイミングからしばらくの間無効期間を設け、即ち、データ領域内での記録マーク形成位置をずらすことにより再生動作開始タイミングを記録開始タイミングに合わすことが行われていた。しかし、この方法によれば、データ領域の先頭に必ず無効期間が存在するためにフォーマット効率を低下させてしまい、せっかくの高密度記録再生方式である磁壁移動型再生方式の特性を充分に発揮できないでいた。
【００１６】
更に、データ領域中バイト同期をとるためのＳＹＮＣパターンが存在するフォーマットの場合、通常ＳＹＮＣパターンの一致信号を検出するための検出窓信号がＳＹＮＣパターン最後端の記録タイミングを基準に生成される。しかし、上述のように記録タイミングと再生タイミングがずれてしまうと検出窓内にＳＹＮＣパターンの一致信号が収まらず誤検知を発生してしまう。この問題を解決するために検出窓の幅を広げることも考えられるが、今度は本来のＳＹＮＣパターン一致信号以外の誤ったＳＹＮＣパターン一致信号の誤検出を発生してしまうという問題があった。
【００１７】
【課題を解決するための手段】
本発明は上記問題に鑑みなされたものであり、本発明の目的は、再生信号品位を維持しつつ、ユーザーの記録領域を最大限に確保して、フォーマット効率のよい磁壁移動型光磁気記録媒体の記録再生装置を提供するものである。
【００１８】
そして、上記目的は、プリフォーマット領域に続くデータ領域に対し光ビームを照射し、情報の記録及び再生を行う磁壁移動型光磁気記録媒体の記録再生装置において、前記プリフォーマット領域で得られた検出信号を基準として所定のタイミングで前記データ領域に記録を開始する記録回路と、前記検出信号を基準として前記所定のタイミングより早いタイミングで前記データ領域に記録された情報の再生を開始する再生回路とを有する記録再生装置により達成される。
【００１９】
また、前記所定のタイミングは、前記プリフォーマット領域に形成されたピットを基準に計られることを特徴とする。
【００２０】
また、前記プリフォーマット領域には、クロックピットが形成され、前記タイミングは前記プリフォーマット領域で得られた検出信号を基準に前記クロックピットをもとに生成されたクロックにより計られることを特徴とする。
【００２１】
また、前記検出信号は、前記クロックピットの検出信号であることを特徴とする。
【００２２】
また、前記プリフォーマット領域には、セクターマーク（ＳＭ）、アドレスを検出する際のクロック抽出を行うための一定パターン（ＶＦＯ部）、アドレスマーク（ＡＭ）、アドレスピットが形成され、前記データ領域には情報の再生する際のクロック抽出を行うための一定パターン（ＶＦＯ部）とバイト同期を取るためのＳＹＮＣマークが形成され、前記タイミングは前記プリフォーマット領域で得られた検出信号を基準に前記データ領域のＶＦＯパターンをもとに生成されたクロックにより計られることを特徴とする。
【００２３】
また、前記検出信号は、前記アドレスマークの検出信号であることを特徴とする。
【００２４】
また、前記プリフォーマット領域には、トラッキング用の１対のウォブルピットとクロックピット、アドレスピットが形成され、前記データ領域には情報の再生する際のクロック抽出を行うための一定パターン（ＶＦＯ部）とバイト同期を取るためのＳＹＮＣマークが形成され、前記記録のタイミングは前記プリフォーマット領域で得られた検出信号を基準に前記クロックピットにより生成されたクロックにより計られ、前記再生のタイミングは前記プリフォーマット領域で得られた検出信号を基準に前記データ領域のＶＦＯパターンをもとに生成されたクロックにより計られることを特徴とする。
【００２５】
また、前記検出信号は、前記クロックピットの検出信号であることを特徴とする。
【００２６】
また、前記媒体は基板を有し、前記データ領域は前記基板に形成された溝部に設けられ、前記プリフォーマット部は前記基板の平坦部に設けられ、前記検出信号は前記溝部と平坦部の境界部で得られる信号であることを特徴とする。
【００２７】
また、前記記録と再生のタイミング差は、記録時に記録マークの磁壁が形成される位置と光ビームの中心との距離と再生時に前記磁壁の移動が開始される位置と光ビームの中心との距離とを足し合わせた距離を前記媒体の線速度で除算した時間に相当することを特徴とする。
【００２８】
また、前記再生回路は、前記ＳＹＮＣマークを検出し、ＳＹＮＣ一致信号を出力するＳＹＮＣマーク検出回路と、前記ＳＹＮＣ一致信号を抽出するための検出窓信号生成回路とを含み、前記再生回路は前記検出窓信号中に前記ＳＹＮＣ一致信号を検出したとき、その検出タイミングに同期して続く情報の復調を開始することを特徴とする。
【００２９】
また、前記検出窓生成回路は、前記ＳＹＮＣマークの最後端の記録タイミングより早いタイミングを中心として前記検出窓信号を生成することを特徴とする。
【００３０】
【発明の実施の形態】
（第１の実施例）
まず、本発明において媒体上の記録再生動作について述べ、記録開始タイミングと再生開始タイミングのずれ量を決定する方法について説明する。
【００３１】
図３（ａ）は、本実施例における光磁気記録媒体の断面形状を模式的に表した図である。層構成は光が入射する側から、基板１、下地層２、磁性層３、上地層４、ＵＶ樹脂層５からなる構成である。基板には幅広のグルーブ部とグルーブ部に挟まれるようにランド部が形成されている。グルーブピッチは０．５４μｍ、グルーブ幅は半値幅で約０．４０μｍ、グルーブ深さは約５０ｎｍである。傾斜部の傾斜角は約４５°である。また、ランド部はアニールにより変質（面内磁化状態）されており、隣接するグルーブ同士の交換結合は分断されている。
【００３２】
図３（ａ）の磁性層３は、図３（ｂ）における、Ｄｉｓｐｌａｃｅｍｅｎｔ　Ｌａｙｅｒ（磁壁移動層）からＭｅｍｏｒｙ　Ｌａｙｅｒ（記録保持層）までの４層構成である。各層の材質、キュリー温度（Ｔｃ）、膜厚は、以下のようである。
Ｄｉｓｐｌａｃｅｍｅｎｔ　Ｌａｙｅｒ（磁壁移動層）；ＧｄＦｅＣｏＣｒ、３００℃、３５ｎｍ
Ｃｏｎｔｒｏｌ　Ｌａｙｅｒ（コントロール層）；ＴｂＦｅＣｏＣｒ、１７６℃、１５ｎｍ
Ｓｗｉｔｃｈｉｎｇ　Ｌａｙｅｒ（スイッチング層）；ＴｂＦｅＣｒ、１５５℃、１０ｎｍ
Ｍｅｍｏｒｙ　Ｌａｙｅｒ（記録保持層）；ＴｂＦｅＣｏＣｒ、３２０℃、８０ｎｍ
また、下地のＳｉＮ、上地のＳｉＮの層厚は、それぞれ９０ｎｍ、３０ｎｍである。
【００３３】
ここで、各層のＴｃ値は、各成分の組成比コントロールにより実現されている。
【００３４】
本実施例においては、上記のような媒体を記録再生する光ヘッドは、波長６５０ｎｍ光源、開口数（ＮＡ）０．６０の対物レンズが使用されている。
【００３５】
また、各層の光学的、熱的定数は以下のようである。
上下地層；ｎ＝２．０５、ｋ＝２．０［Ｗ／ｍＫ］、ｃ＝２．０ｘ１０３［Ｊ／ｍ３Ｋ］
磁性層；ｎ＝２．５０＋ｉ３．２、ｋ＝７．０［Ｗ／ｍＫ］、ｃ＝３．０ｘ１０３［Ｊ／ｍ３Ｋ］
基板、ＵＶ樹脂；ｎ＝１．５８、ｋ＝２．０ｘ１０−１［Ｗ／ｍＫ］、ｃ＝１．８ｘ１０［Ｊ／ｍ３Ｋ］
である。
【００３６】
ここで、ｎは複素屈折率で虚数部数値は光の吸収に寄与する。また、ｋは熱伝統率、ｃは容量比熱である。
【００３７】
以下に、上記媒体を用いた、ベクトル解析に基づく光スポットプロファイル及び薄膜の光吸収量の解析、更に、その結果を用いての熱拡散方程式に基づく温度分布解析、による磁壁移動に関する検討結果を示す。
【００３８】
本実施例においては、線速は２．０ｍ／ｓであり、図４に、その時の、磁性層上の温度分布を示す。
【００３９】
図４（ａ）は、温度分布のトラック中心位置での温度分布断面図を示している。横軸はスポット位置を基準としたトラック方向位置を示している。相対的にスポットが進行している方向を正としている。尚、媒体上での温度は略平衡状態に達しており、磁性層内の膜厚方向における温度勾配は殆ど無く、無視できる程度である。
【００４０】
本実施例における上述したような光磁気記録媒体においては、磁壁移動再生時、媒体上の温度ピークが、スイッチング層のキュリー温度（図中Ｔｓとして示してある。）より充分高く、磁壁移動層のキュリー温度程度以下であることが望ましい。
【００４１】
本実施例における媒体の最適な再生パワーは録再実験より２．３ｍＷ〜２．８ｍＷ程度である。そして、その時、図４（ａ）に示すような温度分布となる。室温としては２７℃を標準値として採用している。
【００４２】
等温線の形状は、ピーク値で規格化すれば、再生パワーに依存せず、図４（ｂ）となる。
【００４３】
図４（ａ）において、横軸正位置での温度がＴｓとなる点より磁壁移動が開始され、磁壁は温度ピークまで移動する。即ち、これにより、本実施例での媒体と再生パワーにおける磁壁移動量が決定される。尚、横軸負位置での温度がＴｓとなる点でも磁壁の移動が開始され得るが、本実施例における媒体においては、コントロール層により、その負位置での磁壁移動開始を妨げている。
【００４４】
ここで、再生パワーを２．３ｍＷとすると、光ビーム中心（横軸のゼロ点）に対して再生開始位置は、距離Ｄｒだけ離れていて、矢印の示す長さだけ先行した個所となっている。図中から媒体上の距離にして約０．３１ｕｍである。
【００４５】
次に、記録時の動作の中で、主に磁区の形成される点について説明する。
【００４６】
記録パワーは、上記のような光磁気記録媒体においては、磁壁移動再生時の再生パワーの１．７〜２．０倍程度である。実験より、２倍を超えても良好に記録されるが、隣接トラックのデータをクロスライトしてしまうので、このあたりの値となる。この値はＤＣ点灯時の値であり、パルス点灯するときはその平均値である。
【００４７】
図５に、記録時の温度分布のトラック中心位置での温度分布断面図を示している。
先の再生パワーが２．３ｍＷ、２．８ｍＷに対応して、記録パワーはその２倍として４．６ｍＷ、５．６ｍＷの時が示されている。
【００４８】
記録は、メモリ層のキュリー温度（Ｔｃ＿ｍ）地点で決定されるので、スポットの進行方向に対して後方の、メモリ層のキュリー温度のところで記録マークのエッジ（磁壁）が形成される。
【００４９】
ここで、記録パワーを４．６ｍＷとすると、光スポット中心（横軸のゼロ点）に対して、記録される位置は、距離Ｄｗだけ離れていて、図５中の矢印にて示す長さだけ後行した個所となっている。図５中、媒体上の距離にして約０．８０ｕｍである。
【００５０】
したがって、記録開始タイミングと再生開始タイミングの時間差は、上述した距離ＤｒとＤｗとの和に相当する時間から定めることができる。本実施例では、線速度が２．０ｍ／ｓなので、ＤｒとＤｗに相当する時間はそれぞれ、
Ｔ（Ｄｒ）＝１５５ｎｓｅｃ、Ｔ（Ｄｗ）＝４００ｎｓｅｃ
となり、その和は約５５５ｎｓｅｃである。また、この時間は、記録再生時のチャネルクロックを４５ＭＨｚとすると、クロック数にして、それぞれ、約７クロック、約１８クロックとなるので、その和のクロック数は、約２５クロックとなる。これが記録と再生のタイミング差となる。
【００５１】
次に、具体的な記録開始タイミング及び再生開始タイミングの取り方について説明する。
【００５２】
まず、本実施例におけるディスク上のＰＩＴパターンについて図２を用いて説明する。らせん状の構成されたトラックは、図２に示すようにプリフォーマット領域とデータ領域とが交互に並んだセグメントが連なって構成されている。各プリフォーマット領域にはトラッキング誤差を検出するために半トラック分オフセットされた２つのウオブルピットと、クロック生成のためのクロックピットが形成されている。
【００５３】
このディスクを用いる場合の一実施例の全体ブロック図を示す。
【００５４】
図１で、スピンドルモーター２は、ディスク１を回転させている。光ヘッド３からはレーザー光が出射され、磁化パターンによって偏光方向が決まる反射光をヘッド内の２つのセンサにて検出する。そのセンサ出力の和はピットの有無をあらわすピット信号としてピット信号処理回路５に供給される。一方センサ出力の差は、磁気ヘッドで記録された磁気パターンをあらわすＭＯ信号として、ＭＯ信号処理回路に供給される。
【００５５】
また、光ヘッド３では、上記とは別に反射光量を検出して、その情報によって、サーボ回路４が光ヘッド３内部のレンズアクチエータの姿勢を制御している。記録時にはピット信号処理回路５からの検出信号に基づいて記録タイミング信号生成回路８がライトゲートを生成する。このライトゲート信号は、フォーマッタ９と磁気ヘッドドライバ１０における記録動作をコントロールする信号である。再生時には同じくピット信号処理回路５からの検出信号に基づいて再生タイミング信号生成回路１２にてリードゲートを生成する。再生信号はＭＯ信号処理回路１３にて適切にフィルタ処理や２値化処理を経たあと、一旦バッファ１４に格納され、復調回路１５でユーザーデータに復調される。このとき、リードゲートは、再生時の復調回路やその前段のバッファの動作開始をコントロールするものである。
【００５６】
記録時には、ピット信号処理回路５は、プリフォーマット部のクロックピットを検出し、ピット信号をＰＬＬ回路６に出力する。ＰＬＬ回路６は、検出されたピット信号に基づいてピット信号に同期したクロックを再現する。煩雑になるためクロック信号の行き先は図示しないが、この再現されたチャネルクロックは、記録時の動作基本クロックとなるよう、各ブロックに供給されている。特に、クロックは記録タイミング信号生成回路８にも供給されていて、この記録タイミング信号生成回路でライトゲートが生成される。
【００５７】
記録タイミング生成回路の詳細を図７に示す。図７で４３はクロックをカウントするカウンタ、４４は図示しないＣＰＵから値が指定される記録開始位置レジスタ、４５は一致検出回路、４６は変調回路を含む記録データフォーマッタ、４８は磁気ヘッドである。
【００５８】
図６に示すように、ピット信号処理回路５はピット信号（ａ）からクロックピットの信号タイミングで立ち上がるパルス（ｂ）を出力する。さらにＰＬＬ回路６は、このパルスと内部クロックとの位相差を検出し、図示しない内部の電圧制御発振器（ＶＣＯ）の発振周波数を制御して、位相差がゼロになるように動作する。こうして再現されたクロック（ｃ）は、記録タイミング信号生成回路８に内蔵されている、カウンタ４３にてカウントされる。このカウンタ４３は、クロックピットタイミング信号でリスタートして、前記基準クロックをカウントする手段である。
【００５９】
さらに、図示しないコントローラが、記録開始位置のカウント数を、記録開始位置レジスタ４４にセットする。一致回路４５は、カウンタのカウント結果と先述したレジスタの値を比較し、一致するとＨＩＧＨとなり、ＨＩＧＨとなってから所定カウント数だけＨＩＧＨを維持する記録タイミング信号であるライトゲート（ｄ）を出力する。
【００６０】
このライトゲート信号がフォーマッタに入力すると、フォーマッタは事前に保持しておいた変調済みの記録データを磁気ヘッドに出力して、磁気ヘッドは媒体上に記録データパターンに応じた磁界を発生する。この動作と連動して、レーザーは記録に適したパワーで発光して、媒体上に記録データパターンが記録される。
【００６１】
ここで、図示しないコントローラがレジスタに書きこむ値は、クロックピットからカウントした記録領域開始位置に相当するクロックカウント数に、記録時のずれＤｗに相当するクロック数のオフセット分を加えたクロックカウント数となる。例えば、線速２．０ｍ／ｓ、基準クロック周波数４５ＭＨｚ、クロックピットから媒体上の記録領域開始位置の距離を２．４μｍとした場合、クロックピットからカウントした記録領域開始位置に相当するクロックカウント数は、５４カウントである。また、記録時のずれＤｗは先述のとおり約１８カウントなので、その和の７２が記録開始位置レジスタに設定される。
【００６２】
次に、再生時のタイミングについて説明する。再生時において、再生タイミング信号生成回路９でリードゲートが生成される。この再生タイミング生成回路の詳細を図８に示す。図８で、５３はクロックをカウントするカウンタ、５４は図示しないＣＰＵから値が指定される記録開始位置レジスタ、５５は一致検出回路、５８は復調回路である。
【００６３】
再生時のおいても、クロックピット信号を検出したクロックピットタイミング信号（ｂ）と同期した所定周波数の基準クロック（ｃ）をＰＬＬ回路が再生する。図８で、カウンタ５３は、２値化された信号でリスタートして、基準クロックをカウントする手段である。さらに図示しないコントローラが、再生開始位置のカウント値を、再生開始位置レジスタ５４にセットする。一致回路５５は、カウンタのカウント結果と再生開始位置レジスタの値を比較して、一致するとＨＩＧＨとなり、ＨＩＧＨとなってから所定カウント数だけＨＩＧＨを維持する再生タイミング信号であるリードゲート（ｆ）を出力する。
【００６４】
このリードゲートがＨＩＧＨになると、復調回路はＨＩＧＨになった時点からの再生データ入力に対して復調動作を開始する。本実施例での復調回路は、通常光ディスクで使用されるＲＬＬ（１，７）コードを利用している。このコードは、変調時２ビットを３ビットに変換するコードであるので、復調時には１度の復調動作で、３ビットを２ビットに変換する動作となる。図示しないが、リードゲートが立ち上がってから、３ビットごとに再生データが区切られて、区切られたデータごとに復調動作を行う。
【００６５】
ここで、図示しないコントローラが再生開始位置レジスタに書きこむ値は、記録時のカウント値に前述の記録再生のタイミング差を減算した値である。
例えば、線速２．０ｍ／ｓ、基準クロック周波数４５ＭＨｚ、クロックピットから媒体上の記録領域開始位置の距離をさきほどと同じく２．４μｍとした場合、記録開始位置レジスタに設定された値は７２であった。また、記録と再生でのタイミング差は２５クロックであるので、再生開始位置レジスタに設定されるべき値は、その差分の４７となる。
【００６６】
なお、記録再生時のずれＤｗ、Ｄｒに起因するタイミング差はチャネルクロックの正確な倍数にはならない場合がある。その場合、再生されたデータの位相と基準クロックとは、チャネルクロックの１周期であるＴに対し、△Ｔ（△Ｔ＜Ｔ）だけ位相がずれている。このことは、クロックに対するデータ変化点の余裕度であるウインドウマージンを損ない、エラーレートが悪化する要因となる。しかし、これは再生時のクロック若しくは再生データの一方に上記遅延分の補正を与えることで解決できる。
【００６７】
図９に遅延回路のブロック図を示す。図９では、再生クロックを、Ｔ／８の遅延量を持つ７個のＤＬライン５９にて遅延させ、各ＤＬ出力と元のクロックの中から最適な遅延量を持つものをセレクタ６０にて選択して、後段の再生系の回路に遅延クロックとして供給して、最大のウインドウマージンを得るように調整している。
【００６８】
このように、プリフォーマット領域における所定のプリピットを基準にして、再生開始タイミングを記録開始タイミングより早いタイミングに設定することで、記録データの最初の部分も不足なく再生でき、フォーマット効率を改善することができる。
【００６９】
（第２の実施例）
本実施例では、データ部にバイト同期用の同期信号を記録するフォーマットタイプに適用した場合について述べる。本実施例におけるディスクのピットパターンを図１２に示す。らせん状に構成されたトラックは、図１２に示すようにプリフォーマット領域とデータ領域とから構成されるセクターが連続に並列された構成となっている。各プリフォーマット領域は、セクター先頭を示すセクターマーク（ＳＭ）に続いて、アドレスを検出する際のクロック抽出を行うための一定パターン（ＶＦＯ部）、アドレスマーク（ＡＭ）、アドレスが記録されているＩＤ部で構成されている。
【００７０】
データ領域には、データ用ＰＬＬの引き込み用の一定パターンであるＶＦＯ部に続いて、バイト同期をとるためのＳＹＮＣマーク、ＵＳＥＲ　ＤＡＴＡが記録される。なお、本実施例ではＵＳＥＲ　ＤＡＴＡはＲｕｎ　Ｌｅｎｇｔｈ　ＬｉｍｉｔｉｅｄコードであるＲＬＬ（１，７）にて変調して記録されるものとする。また、データ領域とプリピット領域の間は、ディスクの回転変動を考慮して、無記録部であるＧＡＰ領域を設けている。本実施例では、セクター周期が２ｍｓｅｃ、回転変動の変動範囲を最大１％として、２０μｓｅｃの期間を設けている。また、ＩＤ部の期間は１２．５ｕｓｅｃ、データ領域のＶＦＯ部は１６ｕｓｅｃ、ＳＹＮＣ部２ｕｓｅｃとなっている。
【００７１】
次に、記録再生時のアドレス検出について説明する。アドレス検出は、非同期検出が可能となっているセクターマーク信号を検出後、ＶＦＯ部からの再生信号に基づいてＰＬＬ回路にてＩＤ用クロックを生成する。この生成されたクロックで、その後のアドレスマークを検出してバイト同期を確定した後、それに続くアドレスパターンを検出して、該当するセクターのアドレス値を検知する。こうして検出したアドレス値が本セクターのアドレス情報となる。
【００７２】
データの記録時には、プリフォーマット領域のアドレスマークを基準にして、所定のタイミングで、図１２に示すようなＶＦＯ、ＳＹＮＣ、ＵＳＥＲ　ＤＡＴＡの順で記録を行う。また、このときの記録信号を生成するためのクロックは、別途図示しないが、水晶発振器の出力するクロックにて行う。
【００７３】
データ再生時には、アドレス値を検出後、データ領域のＶＦＯ部にてＤＡＴＡ用ＰＬＬ回路によりデータ用クロックを生成し、その後のＳＹＮＣ信号を検出してバイト同期を確定後、直後のデータからＲＬＬ（１，７）に基づいて復調動作を行い、元のＵＳＥＲ　ＤＡＴＡを再生する。なお、ＰＬＬは、ＶＦＯ部が到来するまでは、前述の水晶発振器の出力クロックにロックしており、ＶＦＯ部が到来すると、ＶＦＯ部の再生信号と位相が合うようＰＬＬが動作する。したがって、ＰＬＬの出力するデータ用クロックは、ほぼ同じ周波数を維持している。
【００７４】
本実施例におけるフォーマットは、一般的にコンティニュアスサーボ方式に用いられるものであるが、このフォーマットの場合、前述の第１実施例におけるフォーマットに比べ１セクターの時間が長くなる。そのため、ディスクの回転変動の影響を受けやすく、再生信号の開始位置が変動し易いという問題がある。このため、データ領域に再生信号中のデータの開始タイミングを定めるためのＳＹＮＣ信号を記録している。そして、再生信号のなかから、このＳＹＮＣパターンと一致するパターンを検出して、データの先頭を決定している。
【００７５】
なお、このＳＹＮＣ信号は、パターン中に数ビットのエラー発生があったり、１ビットずれたりしても正しくタイミングを判定できるようなパターンとして、
０１００　００１０　０１００　００１０　００１０　００１０　０１００　０１００　１０００　００１０　０１００　・・・
といった符号列となっているが、ユーザーデータ中にも同様のパターンが出現する可能性がある。そこで、検出窓信号を生成し、この窓信号の範囲内でパターン一致を検出するようにしている。なお、パターン検知は、通常、上記パターンにほぼ一致するパターンが到来したとき、そのパターンの後端で一致信号を出力するようになっている。
【００７６】
次に、本実施例における検出窓信号の生成タイミングについて、より詳細に説明する。
【００７７】
本実施例で、媒体上のデータ領域の先頭の記録開始位置は、アドレスマーク後端から３２．５ｕｓｅｃ（ＩＤ部（１２μｓｅｃ）＋ＧＡＰ部（２０μｓｅｃ））相当の位置となる。線速度２ｍ／ｓ、チャネルクロックを２４ＭＨｚとすると、アドレスマーク後端からの時間は７８０カウント分となる。そして、第１の実施例同様に、記録時のずれＤｗに相当するクロック数のオフセット分がこの７８０カウントに加わる。記録時のずれＤｗ＝０．８０ｕｍに相当する時間は、本実施例では４００ｎｓｅｃとなり、上記クロック数に換算して１０となる。したがって、記録時の記録開始位置レジスタには、７９０が設定され、第１の実施例同様に、記録開始タイミングが計られる。なお、記録信号中のＳＹＮＣ信号の後端位置の記録タイミングは、データ領域のＶＦＯ先頭の記録開始から１８ｕｓｅｃ後（チャネルクロックで４３２カウント後）なので、アドレスマーク後端からは１２２２カウントとなる。
【００７８】
再生時のＳＹＮＣ信号を検出するための検出窓信号について、以下詳細に説明する。
【００７９】
第１実施例と同様に記録開始タイミングと再生開始タイミングとでは、位置的にはＤｒ＝０．３１ｕｍおよびＤｗ＝０．８０ｕｍを加算した１．１１ｕｍだけずれている。再生時の線速度は第１の実施例と同様であるので、その時間は
Ｔ（Ｄｒ）＝１５５ｎｓｅｃ、Ｔ（Ｄｗ）＝４００ｎｓｅｃ
となり、記録と再生の開始タイミングの時間差は合計の約５５５ｎｓｅｃ異なることとなる。本実施例ではチャネルクロックが２４ＭＨｚなので、上記時間はそれぞれ約４カウントと１０カウントとなり、記録と再生の開始タイミング差は合計で約１４カウントとなる。したがって、再生時においてＳＹＮＣパターンの後端で出力されるＳＹＮＣ検出信号の発生タイミングは、上記記録時のタイミングである１２２２カウントから１４を差し引いた１２０８カウントとなる。
【００８０】
また、上記検出窓信号の検出幅について説明する。上記のとおり、ＳＹＮＣ検出信号のタイミングは、アドレスマーク後端から約１２０８クロック後になるが、回転変動が最大で１％あると、線速度も最大約１％程度ずれるため、前後にそれぞれ１２カウント以内の範囲にずれて再生する可能性がある。このため、アドレスマークの検出信号から１２０８カウントを中心に前後１２カウント程度の幅を持つ検出窓信号を生成するのが好ましい。それにより確実に回転変動によるＳＹＮＣ検出タイミング変動を許容しつつＳＹＮＣ検出信号を抽出することが可能となる。つまり、検出窓信号はアドレスマーク検出信号を基準にして、１１９６カウントから１２２０カウントまでＨＩＧＨとなるよう設定すればよい。
【００８１】
次に、上記のようなフォーマットに基づいて情報を記録、再生する場合の具体的な回路について、図１３を用いて説明する。図１３は、ＳＹＮＣ信号検出を含む再生回路のブロック図である。まず、ＰＬＬ回路６０は、データ領域から再生され、適宜等化を行った後に２値化された再生信号が入力される。ＰＬＬ回路６０は、この再生信号と出力する再生クロックとの位相差を検出し、位相差がゼロとなるよう内蔵する電圧制御発振器（ＶＣＯ）を制御してデータ用クロックを生成する。カウンタ６１は、図示しないｐｉｔ信号処理回路にて検出されたアドレスマーク検出信号のタイミングでクリアされ、図示しない水晶発振器の出力クロックをカウントする。図示しないコントローラは窓開始位置に相当するクロック数である１１９６を窓開始位置レジスタ６２にセットする。一致検出回路６３は、カウンタの計数出力値とレジスタにセットされた値を比較して、一致したら所定クロック数（本実施例では、２４）だけＨＧＩＨとなるような検出窓信号を出力する。
【００８２】
ＳＹＮＣ検出回路６４は、再生信号の２値パターンから、ＳＹＮＣパターンに一致したときに若しくは予め指定されたエラー数以下で一致するタイミングで１クロックだけＨＩＧＨとなるＳＹＮＣ一致信号を出力する。また、ＡＮＤ回路６６は、ＳＹＮＣ一致信号と検出窓信号との論理積をとり、その結果をＳＹＮＣ検出信号として出力している。
【００８３】
このＳＹＮＣ検出タイミング信号が復調回路６５に入力されると、復調回路は、ＲＬＬ（１，７）コードで変調されているデータの復調動作を開始する。このＲＬＬ（１，７）は２ビットを３ビットに変換するものなので、復調時には３ビットをまとめて２ビットに変換している。そこで、ＳＹＮＣの直後に相当する再生信号のビットから３ビット分づつデータを区切って復調動作を開始する。
【００８４】
また、記録と再生の開始タイミングをアドレスマーク検出信号を基準としてカウントしたカウント数で説明したが、これはアドレスマーク検出信号に限定されるものではなく、アドレス部の最終ビット等の検出信号を基準としてカウントする形態であってもよい。また、ウオブリングされたグルーブからのウォブリング検出信号を基準としても良い。
【００８５】
以上のように、本実施例においては、プリフォーマット領域における所定のプリピットを基準にして、ＳＹＮＣ信号の検出のための検出窓信号の生成タイミングを計っている。特に、検出窓の中心タイミングがＳＹＮＣ信号の最後端の記録タイミングより早いタイミングに設定することで、ＳＹＮＣ信号の発現タイミングと検出窓信号の生成タイミングを合致させ、ＳＹＮＣ検出信号の検出をより的確にできるようにしている。したがって、検出窓信号を不要に広い検出範囲に設定する必要がなく、正規のＳＹＮＣ信号の近傍に存在するデータ中の偽パターンにて誤検出するといった現象を防止できる。その結果、今まで以上にＳＹＮＣ検出の精度が向上し、再生時のエラーレートの改善を図ることが可能となる。
【００８６】
（第３の実施例）
本実施例におけるフォーマットを図１５に示す。プリフォーマット領域とデータ領域とから構成されるセグメントが複数連続的に並設されることにより記録トラックが構成されている。なお、本実施例ではデータ領域はグルーブ部内に設けられ、プリフォーマット領域はランド部と同じ高さで、グルーブ部の延在方向に設けられた平坦部に設けかれている。各プリフォーマット領域にはトラッキング誤差を検出するために半トラック分オフセットされた２つのウォブルピットと、クロック再生のためのクロックピットが形成されている。
【００８７】
本実施例におけるフォーマットでは、ディスクの半径位置に応じて５００〜１０００個の複数のセグメントを１つのデータの管理単位として取り扱われる。この際、先頭のセグメントのデータ領域には、クロッキングパターン（ＶＦＯ）と同期信号（ＳＹＮＣ）のみが記録され、それに続くセグメントのデータ領域からユーザーデータ（ＤＡＴＡ）が記録される。ここで、線速度を２ｍ／ｓ、チャネルクロック周波数を４５ＭＨｚとすると、各部の時間長およびチャネルクロックでのカウント数は以下のとおりである。
【００８８】
プリフォーマット部：２μｓｅｃ　　（９０カウント）
ＶＦＯ部　　　　　：１７μｓｅｃ　（７６５カウント）
ＳＹＮＣ部　　　　：１μｓｅｃ　　（４５カウント）
クロックピット間　：２０μｓｅｃ　（９００カウント）
本実施例では、記録時には第１の実施例同様に、クロックピットから得られたクロック信号を基準にＰＬＬ回路で記録データ用クロックを生成し、その記録データ用クロックに基づいて記録動作が行われる。しかし、再生時には、第２の実施例同様に、データ領域に記録されたＶＦＯから得られたクロック信号を基準に再生データ用クロックを生成し、その再生データ用クロックに基づいて再生動作が行われる。なお、ＰＬＬは、ＶＦＯが到来するまでは、クロックピットから得られたクロック信号を基準に動作しており、ＶＦＯ部が到来すると、ＶＦＯ部と位相があうようＰＬＬが動作する。この過程で、ＰＬＬの出力クロックは常時ほぼ同じ周波数を維持している。
【００８９】
本実施例において、再生開始タイミングの決定の仕方は前述した第２の実施例と同じ方法であり、つまり、データ領域に記録されたＳＹＮＣパターンを検出できたとき、そのパターンの後端で一致信号を出力し、その出力に同期してデータ領域におけるユーザデータの再生開始タイミングを決定している。なお、ＳＹＮＣパターンの検出は、第２の実施例と同様に検出窓信号を生成し、その窓信号の範囲内での一致信号を真のＳＹＮＣ検出信号として扱うようにしている。
【００９０】
次に、記録・再生開始タイミングの決定の仕方について更に詳細に説明する。
【００９１】
記録時、プリフォーマット部のクロックピットを検出し、その位相誤差情報を含む２値化信号をＰＬＬに入力し、ＰＬＬにて記録データ用クロックを生成する点では、第１の実施例と同様である。ここで、プリフォーマット領域内のクロックピットから媒体上の記録開始位置を１．２μｍとすると、線速度２ｍ／ｓなので、クロックピットからＶＦＯの先頭まで０．６μｓｅｃ（２７カウント）となる。
【００９２】
ここでも、第１の実施例同様にＤｗに相当する時間Ｔ（Ｄｗ）＝４００ｎｓｅｃ（１８カウント）のずれが存在するため、実際の記録信号の記録開始位置のカウント値は、２７カウントに１８カウントを加えた４５カウントとなる。そして、第１の実施例同様に記録開始位置レジスタに４５に設定して記録開始タイミングを計るようにしている。
【００９３】
なお、クロックピットからのＳＹＮＣ終端の記録タイミングは、ＶＦＯおよびＳＹＮＣのカウント長を加算した値となるので、８５５である。
【００９４】
再生時には、前述の実施例で説明した通り、ＤｗとＤｒに対応したずれがあるが、本実施例では、線速度が２．０ｍ／ｓなので、ＤｒとＤｗに相当する時間とクロックカウント数は、それぞれ、
Ｔ（Ｄｒ）＝１５５ｎｓｅｃ（７カウント）、Ｔ（Ｄｗ）＝４００ｎｓｅｃ（１８カウント）
となり、その和である約５５５ｎｓｅｃ（２５カウント）が記録と再生のタイミング差となる。
【００９５】
再生時のＳＹＮＣ信号の終端タイミングは、上記記録時のタイミングの８５５からタイミング差である２５を減じた８３０となる。このタイミングを中心に検出窓を開けばＳＹＮＣ一致信号を正確に検出することが可能となる。
【００９６】
ここで、回転変動を最大１％として計算すると、回転変動に由来するＳＹＮＣ一致信号の発生タイミングのずれは約９カウント程度となるので、検出窓信号の幅は±９カウントとしておけばよい。したがって、検出窓信号の立ち上がりのタイミングは中心のタイミングである８３０から９減した８２１カウントに設定すればよい。
【００９７】
上記のようなフォーマットで記録する場合は、第１の実施例と同様な回路ブロックを利用でき、記録開始タイミングの設定値のみ上述の値８５５とすればよい。
【００９８】
次に、上記フォーマットで再生する場合の具体的な回路について、図１４を用いて説明する。図１４で、選択器６９は、クロックピットの２値化信号と再生データ信号の２値化信号が入力され、別に入力されるリードゲート信号によりいずれかの出力を選択する選択器である。記録時、リードゲート信号はＬＯＷで選択器の出力はクロックピットの２値化信号（和信号）を出力する。そして、ＰＬＬ回路７０は、第１の実施例同様に、クロックピットに同期したクロックを生成する。このクロックを元に不図示の記録系の回路は記録動作を行う。
【００９９】
再生時には、リードゲート信号がＨＩＧＨになって、選択器６９は図示しない再生データ処理回路からの再生データの２値化信号（ＭＯ信号）を選択し、ＰＬＬ回路７０に向けて出力する。ＰＬＬ回路７０は、そのエッジタイミングと出力クロックの位相差を検出し、ゼロになるよう内部の電圧制御発振器を制御して、再生データの２値化信号と同期したクロックを出力する。後述する復調回路７５等の再生系の回路はこのクロックを基準にして動作する。カウンタ７１は、図示しないｐｉｔ信号処理回路にて検出されたクロックピットのタイミング信号でクリアし、前記ＰＬＬ回路の出力であるクロックロックをカウントする。図示しないコントローラは窓開始位置に相当するクロック数である８２１を窓開始位置レジスタ７２にセットする。一致検出回路７３は、カウンタの計数出力値とレジスタにセットされた値を比較して、一致したら所定クロック数（本実施例では、１８）だけＨＧＩＨとなるような検出窓信号を出力する。レジスタ７２も一致検出回路７３も上記基準クロックで動作する。このとき、ＰＬＬ回路の動作上、再生データの２値化信号と位相ロックする過程で、少しばかりクロック数が増減することがあるが、クロックの周波数がほぼ一定になるよう制御されているため、カウント値がずれることによるＳＹＮ検出窓の時間ずれの影響は少ない。
【０１００】
ＳＹＮＣ検出回路７４は、再生データ信号の２値パターンから、ＳＹＮＣパターンに一致したときに若しくは予め指定されたエラー数以下で一致するタイミングで１クロックだけＨＩＧＨとなるＳＹＮＣ一致信号を出力する。また、ＡＮＤ回路７６は、ＳＹＮＣ一致信号と検出窓信号との論理積をとり、その結果をＳＹＮＣ検出信号として出力している。
【０１０１】
このＳＹＮＣ検出タイミング信号が復調回路７５に入力されると、復調回路は、ＳＹＮＣ位置を把握して、ＲＬＬ（１，７）コードで変調されているデータの復調動作を行う。このＲＬＬ（１，７）は２ビットを３ビットに変換するものなので、復調時には３ビットをまとめて２ビットに変換している。そこで、ＳＹＮＣの直後に相当する再生データ信号のビットから３ビット分づつデータを区切って復調動作を開始する。ここで、検出回路と復調回路の動作クロックは再生クロックを使用している。
【０１０２】
このように、本実施例では、プリフォーマット領域における所定のプリピットを基準にして、所定のプリピットと同期したクロックを生成し、そのクロック用いて記録のタイミングを定め、また、再生時には、データ領域に記録されているＶＦＯパターンを基準にして、再生データと同期したクロックを生成すると共に、そのクロックを用いて検出窓信号を生成するようにしている。また、検出窓信号の生成タイミングは前記記録のタイミングより早いタイミングに設定されるため、正しくＳＹＮＣ信号を検出することができ、再生データの検出精度が向上して、エラーレートが改善できる。
【０１０３】
なお、上述の実施例では、クロックピットのタイミング信号でクロックカウントを開始したが、カウント開始のタイミングはプリフォーマット部に設けられた他のピットから得られる信号、或いは、プリフォーマット部が設けられた平坦部とデータ領域が設けられたグルーブ部の境界で得られる溝端信号を基準にしてクロックカウントを開始しても良い。
【０１０４】
【発明の効果】
以上のように、本発明によれば、再生タイミングを記録タイミングより早く設定することで再生信号の品位を維持しつつ、ユーザーの記録領域を最大限に確保して、フォーマット効率のよい磁壁移動型光磁気記録媒体の記録再生装置を提供できる。
【図面の簡単な説明】
【図１】本発明にかかる光磁気ディスク記録再生装置の全体ブロック図である。
【図２】第１の実施例における、プリフォーマット領域の構成を示す図である。
【図３】本実施例における詳細な磁性膜の構成を示す図である。
【図４】磁性膜の再生時の温度分布を示す図である。
【図５】磁性膜の記録時の温度分布を示す図である。
【図６】第１の実施例における、プリピット再生信号とクロック、及び記録再生開始タイミングであるゲート信号とのの関係を示す図である。
【図７】第１の実施例における記録時のタイミング動作を示すブロック図ある。
【図８】第１の実施例における再生時のタイミング動作を示すブロック図ある。
【図９】第１の実施例における遅延回路を示すブロック図である。
【図１０】従来例における記録時と再生時の光ビームと信号の関係を示す図である。
【図１１】磁壁移動再生方式の動作原理を示す図である。
【図１２】第２の実施例における信号フォーマットとタイミングチャートを示す図である。
【図１３】第２の実施例におけるブロック図である。
【図１４】第３の実施例におけるブロック図である。
【図１５】第３の実施例における信号フォーマットとタイミングチャートを示す図である。
【符号の説明】
１　ディスク
２　スピンドルモータ
３　光学ヘッド
４　サーボ回路
５　ピット処理回路
６　ＰＬＬ回路
８　記録タイミング信号生成回路
９　記録データフォーマッタ
１１　磁気ヘッド
１０　磁気ヘッドドライバ
１２　再生タイミング生成回路
１３　ＭＯ信号処理回路
１５　復調回路
【図１】
2004055033.tif 000003
【図２】
2004055033.tif 000004
【図３】
2004055033.tif 000005
【図４】
2004055033.tif 000006
【図５】
2004055033.tif 000007
【図６】
2004055033.tif 000008
【図７】
2004055033.tif 000009
【図８】
2004055033.tif 000010
【図９】
2004055033.tif 000011
【図１０】
2004055033.tif 000012
【図１１】
2004055033.tif 000013
【図１２】
2004055033.tif 000014
【図１３】
2004055033.tif 000015
【図１４】
2004055033.tif 000016
【図１５】
2004055033.tif 000017